(57)【特許請求の範囲】
【請求項１】
受信したエリア識別子を保持するとともに、保持しているエリア識別子と新たに受信したエリア識別子とが異なる場合に、該新たに受信したエリア識別子の登録を要求する移動端末と通信する通信手段と、
エリア識別子を送信する送信手段と、
自装置が位置するエリアと該エリアに隣接するエリアとの境界部分に自装置が位置する場合に、複数の前記移動端末のそれぞれで使用される複数の周波数のうち、一部の周波数を用いて自装置が位置するエリアのエリア識別子を送信し、他の周波数を用いて自装置が位置するエリアに隣接するエリアのエリア識別子を送信するように前記送信手段を制御する送信制御手段と、
を備えたことを特徴とする基地局装置。 
【請求項２】
基地局装置が、
移動端末と通信する通信手段と、
エリア識別子を送信する送信手段と、
前記基地局装置が位置するエリアと該エリアに隣接するエリアとの境界部分に前記基地局装置が位置する場合に、複数の周波数のそれぞれを用いて通信を行う複数の移動端末のうち、一部の周波数を用いて通信を行う移動端末の固有情報と前記基地局装置が位置するエリアのエリア識別子とが関連付けられ、他の周波数を用いて通信を行う移動端末の固有情報と前記基地局装置が位置するエリアに隣接するエリアのエリア識別子とが関連付けられた情報を送信するように前記送信手段を制御する送信制御手段と、
を備え、
前記移動端末が、
前記情報に含まれる固有情報付エリア識別子のうち、前記移動端末が有する固有情報に関連付けられたエリア識別子を取得するエリア識別子取得手段と、
取得したエリア識別子を保持する保持手段と、
保持しているエリア識別子と前記エリア識別子取得手段により新たに取得されたエリア識別子とが異なる場合に、該新たに取得されたエリア識別子の登録を要求する要求手段と、
を備えたことを特徴とする移動通信システム。 
【請求項３】
基地局装置としてのコンピュータが、
前記基地局装置が位置するエリアと該エリアに隣接するエリアとの境界部分に前記基地局装置が位置する場合に、受信したエリア識別子を保持するとともに、保持しているエリア識別子と新たに受信したエリア識別子とが異なる場合に該新たに受信したエリア識別子の登録を要求する複数の移動端末のそれぞれで使用される複数の周波数のうち、一部の周波数を用いて前記基地局装置が位置するエリアのエリア識別子を送信するように、エリア識別子を送信する送信手段を制御し、
他の周波数を用いて前記基地局装置が位置するエリアに隣接するエリアのエリア識別子を送信するように前記送信手段を制御する
各処理を実行することを特徴とする無線通信方法。 
【請求項４】
基地局装置としてのコンピュータに、
前記基地局装置が位置するエリアと該エリアに隣接するエリアとの境界部分に前記基地局装置が位置する場合に、受信したエリア識別子を保持するとともに、保持しているエリア識別子と新たに受信したエリア識別子とが異なる場合に該新たに受信したエリア識別子の登録を要求する複数の移動端末のそれぞれで使用される複数の周波数のうち、一部の周波数を用いて前記基地局装置が位置するエリアのエリア識別子を送信するように、エリア識別子を送信する送信手段を制御し、
他の周波数を用いて前記基地局装置が位置するエリアに隣接するエリアのエリア識別子を送信するように前記送信手段を制御する
各処理を実行させることを特徴とする無線通信プログラム。
【発明の詳細な説明】
【技術分野】
【０００１】
この発明は、移動端末と通信する基地局装置、移動端末と基地局装置で構成される移動通信システム、基地局装置で行なわれる無線通信方法、並びに、基地局装置としてのコンピュータに実行させる無線通信プログラムに関する。
【背景技術】
【０００２】
携帯電話などの移動端末に通話サービス等を提供する移動通信システムでは、基地局装置が移動端末の直接の通信相手となる。
【０００３】
一つの基地局装置が移動端末と無線通信できる範囲（以下セルと呼称）には限りがあるので、移動端末の移動範囲を広げるために複数の基地局装置が設置される。
【０００４】
そして、移動通信システムでは、セルを複数まとめたエリア単位で移動端末の現在位置が管理される。
【０００５】
具体的には、ＨＬＲ（Home  Location  Register）と呼ばれるデータベースに、移動端末が位置するエリアの識別子が登録され、移動端末への着信処理の際などに利用される。
【０００６】
ＨＬＲにエリア識別子を登録することを位置登録と呼び、移動端末は、所定のタイミングで基地局装置に対し位置登録を要求する。
【０００７】
移動端末が位置登録を要求するタイミングについて説明すると、従来、基地局装置は、セル内にエリア識別子を含む報知情報を送信している（特許文献１参照）。
【０００８】
その結果、移動端末は、現在の通信相手である基地局装置が送信するエリア識別子を受信する。移動端末が移動し、セル間を跨った場合には、次に通信相手となる基地局装置からエリア識別子を受信する。
【０００９】
その際、以前と異なるエリア識別子を受信する（エリア間を跨ぐ）と、受信後のタイミングで、移動端末は、基地局装置に対し位置登録を要求する。
【００１０】
このように、移動通信システムでは、移動端末が所定のタイミングで位置登録を要求している。
【００１１】
【特許文献１】特開平４−３４２３２２号公報
【発明の開示】
【発明が解決しようとする課題】
【００１２】
ところで、移動端末は人に携帯されて移動するので、場合によっては、ほぼ同時に多数の移動端末がエリア間を跨ぐという状況が起こる。
【００１３】
例えば、電車等の大量輸送手段により、移動端末を持った人が集団で移動する場合が考えられる。
【００１４】
このとき、エリアの境界に位置する基地局装置は、ほぼ同時に多数の位置登録の要求を受け付けることになり、輻輳が発生する。
【００１５】
輻輳時には、基地局装置は、位置登録に失敗した移動端末や、もともとセル内に存在した移動端末に対する発着信の処理等ができない。このようなことが頻繁に起これば、サービスの品質低下につながる。
【００１６】
そこで、本件開示の装置は、上述した従来技術の課題を解決するためになされたものであり、ほぼ同時に起こる多数の位置登録の要求を無くし、輻輳の発生を抑止することが可能な基地局装置、移動通信システム、無線通信方法および無線通信プログラムを提供することを目的とする。
【課題を解決するための手段】
【００１７】
上述した課題を解決し、目的を達成するため、この装置は、移動端末と通信する通信手段と、エリア識別子を送信する送信手段と、前記送信手段が、前記移動端末を複数エリアに分散し、各移動端末に対して当該端末が所属するエリアのエリア識別子を送信するように制御する送信制御手段と、を備えたことを要件とする。
【００１８】
また、このシステムは、基地局装置が、移動端末と通信する通信手段と、エリア識別子を送信する送信手段と、異なる複数のエリア識別子各々に前記移動端末が有する固有情報を関連付けて送信するように前記送信手段を制御する送信制御手段と、を備え、前記移動端末が、前記固有情報付エリア識別子のうち、自身が有する固有情報に関連付けられたエリア識別子を取得するエリア識別子取得手段を備えたことを要件とする。
【００１９】
また、この方法は、移動端末を複数エリアに分散する分散工程と、各移動端末に対して当該端末が所属するエリアのエリア識別子を送信するエリア識別子送信工程と、を含んだことを要件とする。
【００２０】
また、このプログラムは、移動端末を複数エリアに分散する分散手順と、各移動端末に対して当該端末が所属するエリアのエリア識別子を送信するエリア識別子送信手順と、を基地局装置としてのコンピュータに実行させることを要件とする。
【発明の効果】
【００２１】
開示の装置では、セルが複数エリアに属することになる結果、同一エリアに属する複数の移動端末が当該セルに入った場合に、一部の端末には、以前と変わらないエリアに存在すると認識させ、一方の端末には、以前と異なるエリアに存在すると認識させることができる。したがって、当該装置をエリアの境界に設置すれば、位置登録のタイミングをずれることになり、ほぼ同時に起こる多数の位置登録の要求を無くし、輻輳の発生を抑止することが可能となる。
【発明を実施するための最良の形態】
【００２２】
以下に添付図面を参照して、基地局装置および移動通信システムの好適な実施例について詳細に説明する。
【実施例１】
【００２３】
まず、携帯電話などの移動端末が行なう位置登録について簡単に説明を行う。移動端末に通話サービス等を提供する移動通信システムでは、基地局装置が移動端末の直接の通信相手となる。
【００２４】
移動通信システムでは、基地局装置に所定の範囲（以下セルと呼称）で移動端末と通信させており、このセルを複数まとめてエリアとし、識別子を付与している。
【００２５】
そして、移動端末に対し、ＨＬＲ（Home  Location  Register）と呼ばれるデータベースに、現在位置するエリアのエリア識別子の登録を行なわせている。
【００２６】
ＨＬＲにエリア識別子が登録されるまでの流れを具体的に説明すると、各基地局装置は、常にセル内に報知情報を送信している。報知情報には、エリア識別子が含まれる（そのほかに上位ネットワークの情報なども含まれる）。
【００２７】
したがって、移動端末は、現在の通信相手である基地局装置が送信するエリア識別子を受信する。
【００２８】
そして、移動端末が移動し、セル間を跨った場合には、次に通信相手となる基地局装置が送信するエリア識別子を受信する。
【００２９】
その際、以前と異なるエリア識別子を受信する（エリアを跨ぐ）と、移動端末は、基地局装置を介して、ＨＬＲに対し、当該エリア識別子の登録を要求する。
【００３０】
要求を受け付けたＨＬＲは、所定の管理テーブルにおいて、当該移動端末のエリア識別子を登録する（更新する）。移動通信システムでは、このようなエリア識別子の登録により、移動端末の現在位置を管理し、当該移動端末への着信処理などを実現している。
【００３１】
次に、実施例１に係る基地局装置の特徴を説明する。図１は、実施例１に係る基地局装置の特徴を説明するための図である。
【００３２】
図１に示すように、基地局装置１０は、基地局制御装置や交換機などで構成されるコアネットワーク２１０を介してＨＬＲ２００と接続され、セル３内の移動端末１〜２とは無線で通信を行なう。なお、基地局装置１０は、コアネットワーク２１０とは有線接続となる。
【００３３】
同図に示すように、基地局装置１０は、メッセージ送受信処理部５０と、送信制御部４３と、を備える。
【００３４】
メッセージ送受信処理部５０は、上記したエリア識別子の送信を行なうほか、移動端末が自装置に対して行なう呼接続の要求や位置登録の要求を受け付ける。
【００３５】
そして、送信制御部４３は、異なるエリア識別子各々を送信するようにメッセージ送受信処理部５０を制御する。
【００３６】
したがって、基地局装置１０は、例えば、移動端末１には、エリア識別子「１」を送信し、移動端末２には、エリア識別子「２」を送信する。
【００３７】
仮に、移動端末１〜２が、以前の通信相手である基地局装置からエリア識別子「１」を受信していたとする。
【００３８】
その場合、移動端末２は、セル３に移動すると、基地局装置１０を介して、ＨＬＲ２００に対し、当該エリア識別子「２」の登録を要求する。一方、移動端末１は、セル３に移動しても位置登録の要求を行なわない。
【００３９】
このような基地局装置１０をエリアの境界に設置することで、短時間に多数の位置登録が発生することを回避することが可能となる。以下に図２を用いて具体的に説明を行う。
【００４０】
図２に示すように、エリア４やエリア５に含まれるセルのうち、２重線で示すセル４ａおよびセル５ａを基地局装置１０と同じ機能を有する基地局装置１１０〜１２０が担当する。
【００４１】
ここで、矢印の方向に向かって、移動端末６〜８がまとまって移動する場合を考える。なお、このような事態は、例えば、当該移動端末を持った人が電車等の大量輸送手段に乗った場合に起こる。
【００４２】
また、仮に、エリア４内のセル４ａを除くセルでは、移動端末６〜８は、エリア識別子「４」を受信し、エリア５内のセル５ａを除くセルでは、移動端末６〜８は、エリア識別子「５」を受信するものとする。
【００４３】
同図上段に示すように、基地局装置１１０は、セル４ａに移動してきた移動端末６〜８のうち、移動端末６には、エリア識別子「５」を送信し、移動端末７〜８には、エリア識別子「４」を送信する。
【００４４】
その場合、移動端末６は、異なるエリア識別子を受信したことになり、基地局装置１１０を介して、ＨＬＲに位置登録を要求する。
【００４５】
その後、同図下段に示すように、基地局装置１２０は、セル５ａに移動してきた移動端末６〜８のうち、移動端末６〜７には、エリア識別子「５」を送信し、移動端末８には、エリア識別子「４」を送信する。
【００４６】
その場合、移動端末７は、異なるエリア識別子を受信したことになり、基地局装置１２０を介して、ＨＬＲに位置登録を要求する。
【００４７】
その後、セル５ａを通過すると、移動端末６〜８は、エリア５内のセル５ａに隣接するセルで、基地局装置１３０からエリア識別子「５」を受信する。
【００４８】
その場合、移動端末８は、異なるエリア識別子を受信したことになり、基地局装置１３０を介して、ＨＬＲに位置登録を要求する。
【００４９】
このように、移動端末６〜８がまとまってセル間を跨る場合であっても、移動端末６〜８は、それぞれ異なるタイミングで位置登録を要求する。したがって、短時間に多数の位置登録が発生することを回避することが可能となる。
【００５０】
次に、実施例１に係る基地局装置の構成について詳細に説明する。図３は、実施例１に係る基地局装置の構成を示すブロック図である。なお、以下では、基地局装置と移動端末の間の無線通信には、複数の周波数が使用されるものとして説明する。例えば、ある移動端末は、１００ＭＨｚで基地局装置と通信し、一方の移動端末は、１０１ＭＨｚで基地局装置と通信する。
【００５１】
同図に示すように、基地局装置１０は、有線接続Ｉ／Ｆ部２０と、記憶部３０と、制御部４０と、メッセージ送受信処理部５０と、を備える。
【００５２】
有線接続Ｉ／Ｆ部２０は、図１に示したコアネットワーク２１０に自装置を接続するためのインタフェースである。
【００５３】
記憶部３０は、制御部４０による各種処理に必要なデータを記憶し、特に本発明に密接に関連するものとしては、周波数管理テーブル３１と、エリア識別子管理テーブル３２と、を備える。
【００５４】
周波数管理テーブル３１は、移動端末との通信に使用する周波数を管理するための情報を記憶する。具体的には、図４に示すように、周波数管理テーブル３１は、任意のＩＤ情報と、周波数とを対応付けて記憶する。例えば、図４に示すように、周波数管理テーブル３１は、ＩＤ情報「ｆ１」と、周波数「１００」とを対応付けて記憶する。
【００５５】
エリア識別子管理テーブル３２は、メッセージ送受信処理部５０に対し、いずれの周波数を使用していずれのエリア識別子を送信させるかを制御するための情報を記憶する。具体的には、図５に示すように、エリア識別子管理テーブル３２は、任意のＩＤ情報と、エリア識別子とを対応付けて記憶する。例えば、図５に示すように、エリア識別子管理テーブル３２は、ＩＤ情報「ｆ１」と、エリア識別子「４」とを対応付けて記憶する。
【００５６】
制御部４０は、基地局装置１０の全体制御を行なう処理部であり、制御データ処理部４１と、ユーザデータ処理部４２と、送信制御部４３と、を備える。
【００５７】
制御データ処理部４１は、移動通信システムの障害時等に使用される制御用のメッセージを処理する。
【００５８】
ユーザデータ処理部４２は、移動通信システムのサービスを利用するユーザ同士で送受信されるユーザデータなどを処理する。
【００５９】
送信制御部４３は、一意のエリア識別子を指示する各周波数の信号を送信するようにメッセージ送受信処理部５０を制御する。
【００６０】
具体的に例を挙げて説明すると、送信制御部４３は、周波数管理テーブル３１やエリア識別子管理テーブル３２に基づいて、メッセージ送受信処理部５０が１００ＭＨｚの周波数を使用してエリア識別子「４」を送信し、１０１ＭＨｚの周波数を使用してエリア識別子「５」を送信するように制御する。
【００６１】
メッセージ送受信処理部５０は、セル内の移動端末との通信や、エリア識別子の送信を行なう。
【００６２】
具体的には、メッセージ送受信処理部５０は、送信制御部４３に制御され、エリア識別子を送信する場合には、一意のエリア識別子を指示する各周波数の信号を送信する。
【００６３】
例えば、メッセージ送受信処理部５０は、１００ＭＨｚの周波数を使用してエリア識別子「４」を送信し、１０１ＭＨｚの周波数を使用してエリア識別子「５」を送信する。
【００６４】
ここで、上記したように移動端末各々は、基地局装置１０との通信に所定の周波数を使用している。
【００６５】
したがって、同じ基地局装置１０のセル内であっても、１００ＭＨｚの周波数を使用する移動端末は、エリア識別子「４」を受信し、１０１ＭＨｚの周波数を使用する移動端末は、エリア識別子「５」を受信することとなる。
【００６６】
なお、メッセージ送受信処理部５０は、移動端末が自装置に対して行なう呼接続の要求や位置登録の要求を受け付け、制御部４０に出力する。
【００６７】
最後に、図２で説明した状況における各装置の処理動作を図６のシーケンス図を用いて説明する。
【００６８】
なお、移動端末６は１００ＭＨｚ、移動端末７は１０１ＭＨｚ、移動端末８は１０２ＭＨｚの周波数を使用するものとする。
【００６９】
また、基地局装置１１０は、１００ＭＨｚの周波数でエリア識別子「５」、１０１ＭＨｚおよび１０２ＭＨｚの周波数でエリア識別子「４」を送信するものとする。
【００７０】
また、基地局装置１２０は、１００ＭＨｚおよび１０１ＭＨｚの周波数でエリア識別子「５」を送信し、１０２ＭＨｚの周波数でエリア識別子「４」を送信するものとする。
【００７１】
まず、移動端末６〜８が基地局装置１００のセル内に移動すると（ステップＳ１１０）、基地局装置１００は、移動端末６〜８にエリア識別子「４」を送信する（Ａ１）。
【００７２】
そして、移動端末６〜８は、現に受信したエリア識別子と、以前受信したエリア識別子とを比較するが（ステップＳ１２０）、ここでは、以前の通信相手である基地局装置からも、同じくエリア識別子「４」を受信していたものとする。
【００７３】
その後、移動端末６〜８が基地局装置１１０のセル内に移動すると（ステップＳ１３０）、基地局装置１１０は、移動端末６にエリア識別子「５」を送信し、移動端末７〜８にエリア識別子「４」を送信する（Ａ２）。
【００７４】
そして、移動端末６〜８は、現に受信したエリア識別子と、以前受信したエリア識別子とを比較する（ステップＳ１４０）。
【００７５】
ここで、移動端末６は、両者が異なるので、基地局装置１１０を介して、ＨＬＲ２００に対して位置登録の要求を行なう（Ｒ１）。
【００７６】
ＨＬＲ２００は、位置登録の要求を受け付け、移動端末６のエリア識別子を更新する（ステップＳ１５０）。
【００７７】
その後、移動端末６〜８が基地局装置１２０のセル内に移動すると（ステップＳ１６０）、基地局装置１２０は、移動端末６〜７にエリア識別子「５」を送信し、移動端末８にエリア識別子「４」を送信する（Ａ３）。
【００７８】
そして、移動端末６〜８は、現に受信したエリア識別子と、以前受信したエリア識別子とを比較する（ステップＳ１７０）。
【００７９】
ここで、移動端末７は、両者が異なるので、基地局装置１２０を介して、ＨＬＲ２００に対して位置登録の要求を行なう（Ｒ２）。
【００８０】
ＨＬＲ２００は、位置登録の要求を受け付け、移動端末７のエリア識別子を更新する（ステップＳ１８０）。
【００８１】
その後、移動端末６〜８が基地局装置１３０のセル内に移動すると（ステップＳ１９０）、基地局装置１３０は、移動端末６〜８にエリア識別子「５」を送信する（Ａ４）。
【００８２】
そして、移動端末６〜８は、現に受信したエリア識別子と、以前受信したエリア識別子とを比較する（ステップＳ２００）。
【００８３】
ここで、移動端末８は、両者が異なるので、基地局装置１３０を介して、ＨＬＲ２００に対して位置登録の要求を行なう（Ｒ３）。
【００８４】
ＨＬＲ２００は、位置登録の要求を受け付け、移動端末８のエリア識別子を更新する（ステップＳ２１０）。
【００８５】
上述してきたように、実施例１によれば、異なるエリア識別子を送信することで、移動端末各々がエリアを跨ぐタイミングをずらす。こうすることによって、短時間に多数の位置登録が発生することを回避することが可能となる。
【００８６】
その結果、基地局装置の処理能力を超えるような位置登録の要求が発生しないので、位置登録の要求による輻輳を回避することが可能となる。
【００８７】
したがって、基地局装置が輻輳回避のための呼処理制限を行なう必要もなく、呼処理制限のために位置登録処理や発着信等の処理を失敗した移動端末が、再度かかる処理を行うことで輻輳が増大することを回避することが可能となる。
【００８８】
また、基地局装置の処理能力を超えるような位置登録の要求が発生しないので、もともとセル内にいた移動端末による発着信等の処理の失敗を回避することが可能となる。
【実施例２】
【００８９】
実施例１では、一意のエリア識別子を指示する各周波数の信号を送信する基地局装置を説明したが、実施例２では、移動端末各々に複数のエリア識別子をまとめて送信し、移動端末に一意のエリア識別子を選択させる移動通信システムを説明する。
【００９０】
図７は、実施例２に係る移動通信システムにおける基地局装置の構成を示すブロック図である。同図に示すように、基地局装置３００は、有線接続Ｉ／Ｆ部２０と、記憶部３０と、制御部４０と、メッセージ送受信処理部５０と、を備える。なお、実施例１と同様の機能を有するものについては同じ番号を付して説明を省略し、以下では、固有情報付エリア識別子記憶部３３、送信制御部４４、および、送信制御部４４に制御されるメッセージ送受信処理部５０について説明する。
【００９１】
固有情報付エリア識別子記憶部３３は、メッセージ送受信処理部５０によるエリア識別子の送信を制御するための情報を記憶する。
【００９２】
具体的には、図８に示すように、固有情報付エリア識別子記憶部３３は、各移動端末固有の情報である固有情報と、エリア識別子とを対応付けて記憶する。
【００９３】
例えば、図８に示すように、固有情報付エリア識別子記憶部３３は、移動端末に割り当てられたＩＭＳＩ（International  Mobile  Subscriber  Identity）の下３桁「０００」〜「１００」を、エリア識別子「４」と対応付けて記憶する。
【００９４】
送信制御部４４は、異なる複数のエリア識別子各々に移動端末が有する固有の情報を関連付けて送信するようにメッセージ送受信処理部５０を制御する。
【００９５】
具体的に例を挙げて説明すると、送信制御部４４は、メッセージ送受信処理部５０が、固有情報付エリア識別子記憶部３３内の全ての固有情報付エリア識別子を送信するように制御する。
【００９６】
メッセージ送受信処理部５０は、セル内の移動端末との通信や、エリア識別子の送信を行なう。
【００９７】
具体的には、メッセージ送受信処理部５０は、送信制御部４４に制御され、異なる複数のエリア識別子各々に移動端末が有する固有の情報を関連付けて、当該エリア識別子各々を送信する。例えば、メッセージ送受信処理部５０は、図８に示すようなテーブル内の全ての固有情報付エリア識別子を送信する。
【００９８】
次に、実施例２に係る移動通信システムにおける移動端末の構成について説明を行う。図９は、移動端末の構成を示すブロック図である。同図に示すように、移動端末４００は、無線通信処理部４１０と、記憶部４２０と、制御部４３０と、を備える。
【００９９】
無線通信処理部４１０は、基地局装置との無線通信を行う処理部であり、基地局装置から受信した信号を制御部４３０に出力する、あるいは、制御部４３０から受け取った信号を基地局装置に送信する。
【０１００】
具体的には、無線通信処理部４１０は、基地局装置が送信した図８に示すようなテーブル内の全ての固有情報付エリア識別子を受信すると、制御部４３０に出力する。
【０１０１】
記憶部４２０は、制御部４３０による各種処理に必要なデータを記憶し、特に本発明に密接に関連するものとしては、エリア識別子記憶部４２１を備える。
【０１０２】
エリア識別子記憶部４２１には、現在位置するエリアのエリア識別子が格納される。
【０１０３】
制御部４３０は、移動端末の全体制御を行なう処理部であり、エリア識別子取得部４３１と、位置登録処理部４３２と、を備える。
【０１０４】
エリア識別子取得部４３１は、自身が有する固有の情報に対応するエリア識別子を選択して取得する。
【０１０５】
具体的には、エリア識別子取得部４３１は、無線通信処理部４１０から図８に示すようなテーブル内の全ての固有情報付エリア識別子を受け取ると、自身に割り当てられたＩＭＳＩの下３桁に関連付けられたエリア識別子を取得する。
【０１０６】
そして、エリア識別子取得部４３１は、取得したエリア識別子を後述する位置登録処理部４３２に出力する。
【０１０７】
なお、エリア識別子取得部４３１は、無線通信処理部４１０からエリア識別子のみを受け取った場合には、当該エリア識別子を位置登録処理部４３２に出力する。
【０１０８】
位置登録処理部４３２は、エリア識別子記憶部４２１に格納されたエリア識別子と異なるエリア識別子を受信した場合に、位置登録を行なう処理部である。
【０１０９】
具体的には、位置登録処理部４３２は、エリア識別子取得部４３１からエリア識別子を受け取ると、エリア識別子記憶部４２１を参照し、両者を比較する。
【０１１０】
そして、位置登録処理部４３２は、両者が異なる場合には、エリア識別子取得部４３１から受け取ったエリア識別子で位置登録を行ない、当該エリア識別子をエリア識別子記憶部４２１に格納する。
【０１１１】
続いて、図１０を用いて移動端末４００の処理動作を説明する。同図に示した処理フローは、基地局装置３００から図８に示すようなテーブル内の全ての固有情報付エリア識別子を受信するたびに繰り返し実行される。
【０１１２】
まず、移動端末４００は、固有情報を用いて、自身が使用するエリア識別子を取得し（ステップＳ２５０）、エリア識別子記憶部４２１に格納されたエリア識別子を比較する（ステップＳ２６０）。
【０１１３】
そして、移動端末４００は、両者が異なる場合には（ステップＳ２７０否定）、基地局装置３００を介してＨＬＲに位置登録を要求し（ステップＳ２８０）、処理を終了する。
【０１１４】
このような基地局装置３００や移動端末４００により、短時間に多数の位置登録が発生することを回避することが可能となる。以下に図２を再度用いて具体的に説明を行う。
【０１１５】
図２に示すように、エリア４やエリア５に含まれるセルのうち、２重線で示すセル４ａおよびセル５ａを基地局装置３００と同じ機能を有する基地局装置１１０および基地局装置１２０が担当する。
【０１１６】
ここで、仮に、矢印の方向に向かって、移動端末６〜８がまとまって移動するものとする。
【０１１７】
また、仮に、エリア４内のセル４ａを除くセルでは、移動端末６〜８は、エリア識別子「４」を受信し、エリア５内のセル５ａを除くセルでは、移動端末６〜８は、エリア識別子「５」を受信するものとする。
【０１１８】
同図上段に示すように、基地局装置１１０は、セル４ａに移動してきた移動端末６〜８に図８に示すようなテーブル内の全ての固有情報付エリア識別子を送信する。
【０１１９】
なお、全ての固有情報付エリア識別子のうち、３分の１がエリア識別情報「５」で、残りがエリア識別情報「４」であることが望ましい。
【０１２０】
ここで、例えば、移動端末６の固有情報がエリア識別情報「５」と対応付けられていた場合、移動端末６は、エリア識別情報「５」を取得することになり、基地局装置１１０を介して、ＨＬＲに位置登録を要求する。
【０１２１】
その後、同図下段に示すように、基地局装置１２０は、セル５ａに移動してきた移動端末６〜８に図８に示すようなテーブル内の全ての固有情報付エリア識別子を送信する。
【０１２２】
なお、全ての固有情報付エリア識別子のうち、３分の２がエリア識別情報「５」で、残りがエリア識別情報「４」であるとともに、エリア識別情報「５」の半分は、基地局装置１１０が送信した固有情報付エリア識別子であることが望ましい。
【０１２３】
ここで、例えば、移動端末７が当該情報自体からエリア識別情報「５」を取得することになり、移動端末７は、基地局装置１２０を介して、ＨＬＲに位置登録を要求する。
【０１２４】
その後、セル５ａを通過すると、移動端末６〜８は、エリア５内のセル５ａに隣接するセルで、基地局装置１３０からエリア識別子「５」を受信する。
【０１２５】
したがって、移動端末８は、異なるエリア識別子を受信したことになり、基地局装置１３０を介して、ＨＬＲに位置登録を要求する。
【０１２６】
上述してきたように、実施例２によれば、移動端末各々に複数のエリア識別子をまとめて送信し、移動端末に一意のエリア識別子を選択させる。その結果、移動端末各々がエリアを跨ぐタイミングがずれることになる。こうすることによって、短時間に多数の位置登録が発生することを回避することが可能となる。
【０１２７】
その結果、基地局装置の処理能力を超えるような位置登録の要求が発生しないので、位置登録の要求による輻輳を回避することが可能となる。
【０１２８】
したがって、基地局装置が輻輳回避のための呼処理制限を行なう必要もなく、呼処理制限のために位置登録処理や発着信等の処理を失敗した移動端末が、再度かかる処理を行うことで輻輳が増大することを回避することが可能となる。
【０１２９】
また、基地局装置の処理能力を超えるような位置登録の要求が発生しないので、もともとセル内にいた移動端末による発着信等の処理の失敗を回避することが可能となる。
【実施例３】
【０１３０】
さて、これまで本発明の実施例について説明したが、本発明は上述した実施例以外にも、種々の異なる形態にて実施されてよいものである。そこで、以下に示すように、（１）〜（２）にそれぞれ区分けして異なる実施例を説明する。
【０１３１】
（１）固有情報付エリア識別子
上記の実施例２では、エリア識別子にＩＭＳＩを関連付けて送信するものとして説明したが、本発明はこれに限定されるものではなく、例えば、移動端末のベンダ情報や電話番号など、移動端末固有の情報であればいかなるものであってもよい。
【０１３２】
（２）無線通信プログラム
ところで、上記の実施例では、ハードウェアロジックによって各種の処理を実現する場合を説明したが、本発明はこれに限定されるものではなく、予め用意されたプログラムをコンピュータで実行することによって実現するようにしてもよい。そこで、以下では、図１１を用いて、上記の実施例１に示した基地局装置１０と同様の機能を有する無線通信プログラムを実行するコンピュータの一例を説明する。図１１は、無線通信プログラムを実行するコンピュータを示す図である。
【０１３３】
同図に示すように、コンピュータ５００は、外部Ｉ／Ｆ部５１０、無線通信制御部Ｉ／Ｆ部５１５、アンテナ５２０、ＣＰＵ（Central  Processing  Unit）５３０、ＲＯＭ（Read  Only  Memory）５４０、ＲＡＭ（Random  Access  Memory）５５０およびＨＤＤ（Hard  Disk  Drive）５６０をバス５７０で接続して構成される。
【０１３４】
ここで、外部Ｉ／Ｆ部５１０は、図１に示した有線接続Ｉ／Ｆ部２０に対応し、無線通信制御部Ｉ／Ｆ部５１５およびアンテナ５２０は、同じくメッセージ送受信処理部５０に対応する。
【０１３５】
そして、ＲＯＭ５４０には、上記の制御データ処理部４１、ユーザデータ処理部４２および送信制御部４３それぞれと同様の機能を発揮する制御データ処理プログラム５４１、ユーザデータ処理プログラム５４２および送信制御プログラム５４３が予め記憶されている。
【０１３６】
ＣＰＵ５３０は、制御データ処理プログラム５４１、ユーザデータ処理プログラム５４２および送信制御プログラム５４３をＲＯＭ５４０から読み出して実行することで、その機能を実現することができる。
【０１３７】
例えば、図１１に示した例では、ＣＰＵ５３０は、ＲＯＭ５４０から制御データ処理プログラム５４１を読み出して制御データ処理プロセス５３１を動作させており、ＣＰＵ５３０は制御データ処理部４１と同様の動作を行うこととなる。
【０１３８】
また、ＨＤＤ５６０は、図１１に示すように、周波数管理データ５６１およびエリア識別子管理データ５６２を格納している。この周波数管理データ５６１およびエリア識別子管理データ５６２は、ＣＰＵ５３０によって読み出されてＲＡＭ５５０上に展開され、図３に示した周波数管理テーブル３１およびエリア識別子管理テーブル３２として動作する。
【０１３９】
ところで、上記した制御データ処理プログラム５４１、ユーザデータ処理プログラム５４２および送信制御プログラム５４３は、必ずしも最初からＲＯＭ５４０に記憶させておく必要は無く、例えば、コンピュータ５００に挿入されるフレキシブルディスク（ＦＤ）、ＣＤ−ＲＯＭ、ＤＶＤディスク、光磁気ディスク、ＩＣカードなどの「過般用の物理媒体」、または、コンピュータ５００の内外に備えられるＨＤＤなどの「固定用の物理媒体」、さらには、公衆回線、インターネット、ＬＡＮ、ＷＡＮなどを介してコンピュータ５００に接続される「他のコンピュータ（またはサーバ）」などに各プログラムを記憶させておき、コンピュータ５００がこれらから各プログラムを読み出して実行するようにしてもよい。
【図面の簡単な説明】
【０１４０】
【図１】実施例１に係る基地局装置の特徴を説明するための図である。
【図２】ほぼ同時に多数の移動端末がエリア間を跨ぐ状況を示す図である。
【図３】実施例１に係る基地局装置の構成を示すブロック図である。
【図４】周波数管理テーブルが記憶する情報の具体例を示す図ある。
【図５】エリア識別子管理テーブルが記憶する情報の具体例を示す図である。
【図６】ほぼ同時に多数の移動端末がエリア間を跨ぐ状況における各装置の処理動作を説明するシーケンス図である。
【図７】実施例２に係る移動通信システムにおける基地局装置の構成を示すブロック図である。
【図８】固有情報付エリア識別子記憶部が記憶する情報の具体例を示す図である。
【図９】移動端末の構成を示すブロック図である。
【図１０】移動端末の処理動作を示すフローチャートである。
【図１１】無線通信プログラムを実行するコンピュータを示す図である。
【符号の説明】
【０１４１】
１、２、６、７、８  移動端末
３、４ａ、５ａ  セル
４、５  エリア
１０、１００、１１０、１２０、１３０、３００  基地局装置
２０  有線接続Ｉ／Ｆ部
３０  記憶部
３１  周波数管理テーブル
３２  エリア識別子管理テーブル
４０  制御部
４１  制御データ処理部
４２  ユーザデータ処理部
４３、４４  送信制御部
５０  メッセージ送受信処理部
２００  ＨＬＲ
２１０  コアネットワーク
４００  移動端末
４１０  無線通信処理部
４２０  記憶部
４２１  エリア識別子記憶部
４３０  制御部
４３１  エリア識別子取得部
４３２  位置登録処理部
５００  コンピュータ
５３０  ＣＰＵ
５４０  ＲＯＭ
５５０  ＲＡＭ
５６０  ＨＤＤ
【図１】
0005169451.tif 000002
【図２】
0005169451.tif 000003
【図３】
0005169451.tif 000004
【図４】
0005169451.tif 000005
【図５】
0005169451.tif 000006
【図６】
0005169451.tif 000007
【図７】
0005169451.tif 000008
【図８】
0005169451.tif 000009
【図９】
0005169451.tif 000010
【図１０】
0005169451.tif 000011
【図１１】
0005169451.tif 000012